(57)【特許請求の範囲】
【請求項１】
ストッパー棒を立設し、該ストッパー棒より錠剤・カプセルの厚みだけ長く形成した押上棒を複数個立設させた基台と、前記押上棒より長く形成され、前記基台の隅部に立設された支柱と、錠剤・カプセルの厚みと同等の厚さの厚板からなり、錠剤・カプセルの大きさに合わせた種々形状の錠剤・カプセル形状孔を前記基台の押上棒の位置と一致させて貫通形成し、隅部に前記基台の支柱と一致する位置に貫通孔を有し、該貫通孔を前記支柱に上下動自在に嵌合させた保持板と、錠剤・カプセルの厚みと同等の厚さの厚板からなり、前記保持板の錠剤・カプセル形状孔に一致させた同形状の錠剤・カプセル形状孔を形成し、蝶番を介して保持板の上に重畳可能に連結された押さえ板と、さらに前記支柱の基台と保持板との間にコイルスプリングを巻回させたことを特徴とする錠剤・カプセル取出器。
【発明の詳細な説明】
【０００１】
【発明の属する技術分野】
本発明は、ＰＴＰ包装された錠剤・カプセルを取り出すことができる錠剤・カプセル取出器に関する。
【０００２】
【従来の技術】
近年、錠剤・カプセルの包装方法の一つとして、上から押すとアルミ箔が破れて錠剤・カプセルが出てくるＰｒｅｓｓ  Ｔｈｒｏｕｇｈ  Ｐａｃｋ（プレス  スルー  パック）包装が主流となっている。
そのため、薬局、病院等から調剤される薬は、すべてＰＴＰ包装されており、人差し指と中指でアルミ箔側を押さえ、親指で錠剤・カプセルを押すことにより取り出すことができるが、親指で押す力、すなわち握力が弱い老人では錠剤・カプセルを取り出すことが困難となっている。
【０００３】
【発明が解決しようとする課題】
そこで、本発明は、老人のように握力のない人でも簡単にＰＴＰ包装された錠剤・カプセルを取り出すことができる錠剤・カプセル取出器を提供することを目的とする。
【０００４】
【課題を解決するための手段】
そのために、本発明の錠剤・カプセル取出器は、ストッパー棒を立設し、該ストッパー棒より錠剤・カプセルの厚みだけ長く形成した押上棒を複数個立設させた基台と、前記押上棒より長く形成され、前記基台の隅部に立設された支柱と、錠剤・カプセルの厚みと同等の厚さの厚板からなり、錠剤・カプセルの大きさに合わせた種々形状の錠剤・カプセル形状孔を前記基台の押上棒の位置と一致させて貫通形成し、隅部に前記基台の支柱と一致する位置に貫通孔を有し、該貫通孔を前記支柱に上下動自在に嵌合させた保持板と、錠剤・カプセルの厚みと同等の厚さの厚板からなり、前記保持板の錠剤・カプセル形状孔に一致させた同形状の錠剤・カプセル形状孔を形成し、蝶番を介して保持板の上に重畳可能に連結された押さえ板と、さらに前記支柱の基台と保持板との間にコイルスプリングを巻回させたものである。
【０００５】
【実施例】
以下、本発明の一実施例を図面に基づいて説明する。
本発明の錠剤・カプセル取出器は、図１に示すように、プラスチック等から形成され、多数個の押上棒１を立設した矩形の基台２と、該基台２の四隅に立設された支柱３と、該支柱３に貫通孔４を介して上下動自在に嵌合され、錠剤・カプセル形状孔５を有する同等矩形の保持板６と、該保持板６に蝶番７を介して連結され、錠剤・カプセル形状孔５を有する同等矩形の押さえ板８と、前記支柱３の基台２と保持板６との間に巻回されたコイルスプリング９とからなる。
【０００６】
前記基台２は、図２（ａ）正面図に示すように、前記支柱３より内側にそれぞれストッパー棒１０を立設し、前記押さえ板８及び保持板６を下動させた時、保持板６に当接してストッパーとして機能させる。
さらに、前記基台２の内側には錠剤・カプセルの厚みだけ前記ストッパー棒１０より長く形成した押上棒１を複数個立設させる。
なお、押上棒１は、錠剤・カプセルの大きさに合わせて直径の違うものを使用しても良いが、最小の錠剤径に合わせた円柱棒を各錠剤・カプセル形状孔５の中心に配置すればよい。
【０００７】
前記支柱３は、抜け防止のための頭部１１を有する円柱からなり、前記押上棒１より長く形成され、前記保持板６の四隅に形成された貫通孔４に嵌合させ、さらに基台２と保持板６との間にコイルスプリング９を巻回させ、前記コイルスプリング９は前記押さえ板８及び保持板６を押下した時の戻しスプリングとして作用させる。
なお、前記支柱３にコイルスプリング９を巻回させるには、予め支柱３にコイルスプリング９を嵌合させ、前記基台２に形成した支柱穴１４に接着剤を塗布した支柱３を挿入することにより立設することができる。
同様にして、図３に示すように、前記基台２に形成した棒穴１５に接着剤を塗布したストッパー棒１０及び押上棒１を立設することができる。
【０００８】
前記保持板６は、図１に示すように、ほぼ錠剤・カプセルの厚みと同等の厚さの矩形板からなり、四隅に前記基台２の支柱３と一致する位置に貫通孔４を有すると共に、錠剤・カプセルの大きさに合わせた種々形状の錠剤・カプセル形状孔５を前記基台２の押上棒１の位置と一致させて貫通形成する。
なお、前記錠剤・カプセル形状孔５の種類や数は必要に応じて適宜設計変更できる。
前記押さえ板８は、ほぼ錠剤・カプセルの厚みと同等の厚さの矩形板からなり、前記保持板６の錠剤・カプセル形状孔５に一致させた同形状の錠剤・カプセル形状孔５を形成し、図２（ｂ）左側面図に示すように、蝶番７を介して保持板６と連結され、図１の状態から図２の状態へと保持板６上に開閉自在とされる。
なお、押さえ板８の四隅には、前記支柱３の頭部１１より大きく切り欠かれた切込部１２を形成し、押さえ板８と保持板６とが重畳できるようにする。
【０００９】
次に、本発明の錠剤・カプセル取出器の使用法に述べると、
図１に示すように、押さえ板８を開いた状態で、ＰＴＰ包装された錠剤１３（又はカプセル）を保持板６の錠剤・カプセル形状孔５にアルミ箔側を上にして嵌合させる。
そして、押さえ板８を閉じて押さえ板８と保持板６とを重畳させ、ＰＴＰ包装を押さえ板８と保持板６とで挟む。
次に、重畳されている押さえ板８及び保持板６を一緒に手で押し下げて保持板６をストッパー棒１０に当接させるまで押し下げると、図３に示すように、押し下げ途中で押上棒１が錠剤１３（又はカプセル）を上方に押し上げるので、錠剤１３（又はカプセル）はアルミ箔を破り、押さえ板８側の錠剤・カプセル形状孔５に移動する。
次いで、手を離すと、コイルスプリング９の作用で押さえ板８及び保持板６は当初の位置まで戻るので、図１に示すように、押さえ板８を開いて保持板６の錠剤・カプセル形状孔５上に載っている錠剤１３（又はカプセル）を破れたアルミ箔から簡単に取り出すことが出来る。
【００１０】
【効果】
本発明の錠剤・カプセル取出器は、老人のように握力が弱い人であっても、手で押し下げるだけで簡単に錠剤又はカプセルをＰＴＰ包装からアルミ箔を破って取り出すことが出来る。
また、多種類の錠剤・カプセルに合わせた形状の錠剤・カプセル形状孔を形成しているので、一台ですべてに対応することが出来る。
【図面の簡単な説明】
【図１】本発明の錠剤・カプセル取出器の押さえ板を開いた状態の正面図である。
【図２】本発明の錠剤・カプセル取出器の押さえ板を閉じた状態の（ａ）正面図、（ｂ）左側面図である。
【図３】本発明の錠剤・カプセル取出器の使用状態での図２（ａ）のＡ−Ａ拡大断面図である。
【符号の説明】
１  押上棒
２  基台
３  支柱
４  貫通孔
５  錠剤・カプセル形状孔
６  保持板
７  蝶番
８  押さえ板
９  コイルスプリング
１０  ストッパー棒
１１  頭部
１２  切込部
１３  錠剤
１４  支柱穴
１５  棒穴
【図１】
0003571321.tif 000002
【図２】
0003571321.tif 000003
【図３】
0003571321.tif 000004